(57)【特許請求の範囲】
【請求項１】
平面レンズを備えた基板であって、該平面レンズは、軸方向焦点及び傾斜焦点を含む位相プロファイルを含む、基板と、
複数の粒子の間の１つの粒子のシグナルを励起する光源と、
検出器であって、
前記平面レンズの前記軸方向焦点から、前記光源から発生する光を受け取り、
前記平面レンズの前記傾斜焦点から前記粒子の前記励起されたシグナルのスペクトル色成分を受け取る、
検出器と、
を備える、分光顕微鏡。
【請求項２】
前記複数の粒子は、流体内に位置する、請求項１に記載の分光顕微鏡。
【請求項３】
前記傾斜焦点の前記スペクトル色成分は、前記励起されたシグナルの波長に対応する、請求項１に記載の分光顕微鏡。
【請求項４】
前記平面レンズの前記位相プロファイルは、
前記平面レンズの前記軸方向焦点に基づく軸方向位相プロファイルと、
前記平面レンズの前記傾斜焦点に基づく傾斜位相プロファイルと、
を含む、請求項１に記載の分光顕微鏡。
【請求項５】
前記平面レンズは、回折レンズである、請求項１に記載の分光顕微鏡。
【請求項６】
前記光源は、発光ダイオードである、請求項１に記載の分光顕微鏡。
【請求項７】
前記光源は、レーザである、請求項１に記載の分光顕微鏡。
【請求項８】
光源によって、流体の複数の粒子の複数の蛍光シグナルを励起するように励起光を発生させることであって、前記流体は、透明チップ内の流路内に位置することと、
検出器において、平面レンズの軸方向焦点から前記励起光を受け取ることと、
前記検出器において、前記平面レンズの傾斜焦点から、該検出器の複数の位置において前記複数の蛍光シグナルの複数のスペクトル色成分を受け取ることと、
前記検出器によって、
前記平面レンズの前記軸方向焦点から受け取られる前記励起光と、
前記複数のスペクトル色成分の各々が前記平面レンズの前記傾斜焦点から受け取られる前記検出器における前記複数の位置の各々と、
に基づき、前記複数の蛍光シグナルの波長を求めることと、
を含む、方法。
【請求項９】
前記検出器の異なる位置で前記複数のスペクトル色成分の異なるスペクトル色成分を受け取ることを更に含む、請求項８に記載の方法。
【請求項１０】
前記検出器の異なる位置は、前記複数の蛍光シグナルの異なる波長に対応する、請求項８に記載の方法。
【請求項１１】
前記流体が前記流路内を流れる際、前記複数の粒子の前記複数の蛍光シグナルの前記波長が求められる、請求項８に記載の方法。
【請求項１２】
前記検出器が前記透明チップを通過して移動する際、前記複数の粒子の前記複数の蛍光シグナルの前記波長が求められる、請求項８に記載の方法。
【請求項１３】
透明チップ内の複数の流路であって、該複数の流路の各々は、流体を含み、該複数の流路の前記流体の各々は、複数の粒子を含む、複数の流路と、
複数の平面レンズを備えた基板であって、該複数の平面レンズの各々は、軸方向焦点及び傾斜焦点を含む、基板と、
前記複数の流路の前記流体の各々に含まれる前記複数の粒子の蛍光シグナルを励起するように励起光を発生させる光源と、
複数の検出器であって、
前記複数の平面レンズの各々についての前記軸方向焦点からの前記励起光と、
前記複数の平面レンズの各々についての前記傾斜焦点からの前記複数の粒子の前記蛍光シグナルの各々についてのスペクトル色成分と、
のうちの各それぞれの１つを受け取る複数の検出器と、
を備える、分光顕微鏡。
【請求項１４】
前記複数の平面レンズの各々は、位相プロファイルを含む、請求項１３に記載の分光顕微鏡。
【請求項１５】
前記複数の平面レンズの各々についての前記位相プロファイルは、検出される粒子のタイプに基づいて求められる、請求項１４に記載の分光顕微鏡。
【発明の詳細な説明】
【背景技術】
【０００１】
蛍光シグナルのスペクトル解析は、多くの異なる生命科学の分野で使用される一般的なツールである。分光顕微鏡を用いるスペクトル解析の１つの例は、生命科学における数ある他の分野の中でも、免疫学、分子生物学及び／又はがん検出における粒子の検出及び解析に使用することができるフローサイトメトリである。フローサイトメータにおけるスペクトル解析により、粒子の複数の物理的及び化学的特徴を提供することができる。
【図面の簡単な説明】
【０００２】
【図１】本開示と整合する分光顕微鏡の一例の図である。
【図２】本開示と整合する分光顕微鏡の一例の図である。
【図３】本開示と整合する分光顕微鏡の方法例のフローチャートである。
【図４】本開示と整合する分光顕微鏡用の検出器の一例の図である。
【発明を実施するための形態】
【０００３】
本明細書では、分光顕微鏡に対する複数の装置及び方法について記載する。分光顕微鏡の１つの例は、フローサイトメータとすることができる。従来のフローサイトメータは、スペクトル解析機能を提供するために光学部品の組合せを使用する必要がある場合がある。例えば、従来のフローサイトメータは、複雑な及び／又は精密なアライメント構成を有する特別な回折格子及び／又はプリズム等の光学部品を必要とする場合がある。さらに、従来のフローサイトメータは、高価である可能性がある大型機器である場合がある。光学部品のサイズ、コスト及び複雑な及び／又は精密なアライメントにより、ポイントオブケア医療用途等、幾つかの機能に対して従来のフローサイトメータは不適当となる可能性がある。
【０００４】
本明細書において用いられるとき、分光顕微鏡は、複雑かつ精密な光学部品アライメントを必要とすることなく、撮像とともにスペクトル検出を可能にすることができる装置を指すことができる。すなわち、分光顕微鏡が、平面レンズを備えた基板であって、この平面レンズは、軸方向焦点及び傾斜焦点を含む位相プロファイルを含む、基板と、複数の粒子の間の１つの粒子のシグナルを励起する光源と、平面レンズの軸方向焦点から、光源から発生する光を受け取り、平面レンズの傾斜焦点から粒子の励起されたシグナルのスペクトル色成分を受け取る、検出器とを備えることができる。
【０００５】
図１は、本開示と整合する分光顕微鏡１００の一例の図を示す。分光顕微鏡１００は、透明チップ１０４、流路（channel）１０２、粒子１０１、基板１１０、平面回折レンズ１１２、光源１０８及び検出器１１４を備えることができる。検出器１１４は、軸方向位置１１６及び傾斜位置１１８−１、１１８−２、１１８−３を含むことができる。
【０００６】
本明細書において用いられるとき、分光顕微鏡は、粒子（例えば、粒子１０１）を含む流体に検出装置の傍を通過させることによる、粒子の計数、撮像、選別及び／又は検出のための装置とすることができる。本明細書において用いられるとき、粒子は、蛍光化学化合物を含む微小な量の物質とすることができる。例えば、計数、撮像、選別及び／又は検出される粒子は、０．６マイクロメートル（μｍ）〜２０．０μｍのサイズの範囲とすることができるが、本開示の実施形態はそのように限定されない。
【０００７】
分光顕微鏡１００は、粒子の計数、撮像、選別及び／又は検出用の装置として記載するが、本開示の例はそのように限定されない。例えば、分光顕微鏡１００は、粒子に関連する他の機能を行うことができる。さらに、分光顕微鏡１００は、流体を伴う粒子に関連しない他の機能を行うことができる。例えば、分光顕微鏡１００は、数ある機能の中でも、表面増強ラマン分光基板の撮像、カウンティングチャンバ内の細胞の計数、及び／又は空気中の粒子の計数／解析（例えば、マイクロアレイ、スライド上に固定された細胞等）に使用することができる。
【０００８】
分光顕微鏡１００は、透明チップ１０４内に位置する流路１０２を備えることができ、流路１０２は、複数の粒子（例えば、粒子１０１）を含むことができる。粒子１０１は、流体内に懸濁する複数の粒子の間の１つの粒子とすることができる。例えば、粒子１０１は、流体内に懸濁する数あるタイプの粒子の中でも、蛍光染色された赤血球又は白血球、たんぱく質及び／又は核酸とすることができる。流路１０２は、透明チップ１０４内に位置するマイクロ流体流路とすることができる。
【０００９】
粒子１０１は、流体内に懸濁しているものとして記載するが、本開示の実施形態はそのように限定されない。例えば、粒子１０１は、流体内に懸濁していない粒子とすることができる。
【００１０】
透明チップ１０４は、本明細書において更に記載するように、光源（例えば、光源１０８）からの光が透明チップ１０４を通って伝播するのを可能にする透明材料とすることができる。例えば、透明チップ１０４は、溶融シリカ（fused silica）とすることができる。別の例として、透明チップ１０４は、溶融石英（fused quartz）とすることができる。
【００１１】
透明チップ１０４は、溶融シリカ又は溶融石英等の透明材料であるものとして記載するが、本開示の例はそのように限定されない。例えば、透明チップ１０４は、或る種のガラス、透明ポリマー、又は光源１０８からの光が透明チップ１０４を通って伝播するのを可能にする他の任意のタイプの透明材料とすることができる。
【００１２】
図１に示すように、分光顕微鏡１００は、平面回折レンズ１１２を備えた基板１１０を備えることができる。平面回折レンズ１１２は、軸方向焦点及び傾斜焦点を含む位相プロファイルを含むことができる。平面回折レンズ１１２は、２つの焦点（例えば、軸方向焦点及び傾斜焦点）を有する高開口数回折レンズとすることができる。例えば、平面回折レンズ１１２の開口数は、０．２〜０．６とすることができるが、本開示の例はそのように限定されない。更なる例として、平面回折レンズ１１２の開口数は０．４５とすることができる。本明細書において更に記載するように、平面回折レンズ１１２の軸方向焦点は、撮像に使用することができ、平面回折レンズ１１２の傾斜焦点は、スペクトル検出に使用することができる。
【００１３】
平面回折レンズ１１２の位相プロファイルは、軸方向位相プロファイルを含むことができる。平面回折レンズ１１２の軸方向位相プロファイルは、光を軸方向に集束させることができ、これは、平面回折レンズ１１２の軸方向焦点と呼ぶことができる。例えば、特定の波長の光は、軸方向位相プロファイルによって、検出器の焦点面上の位置（例えば、本明細書において更に記載するように、検出器１０８の軸方向位置１１６）に軸方向に集束させることができる。本明細書において用いられるとき、検出器（例えば、本明細書において更に記載するように、検出器１０８）の焦点面は、平面回折レンズ１１２の軸に対して垂直でありかつ平面回折レンズ１１２の焦点を通過する平面とすることができる。
【００１４】
平面回折レンズ１１２の位相プロファイルは、傾斜位相プロファイルを含むことができる。平面回折レンズ１１２の傾斜位相プロファイルにより、光を傾斜して集束させることができ、それは、平面回折レンズ１１２の傾斜焦点と呼ぶことができる。例えば、様々な波長の光を、傾斜位相プロファイルにより、検出器の焦点面における様々な位置（例えば、本明細書において更に記載するように、検出器１０８の傾斜位置１１８−１、１１８−２、１１８−３）に傾斜して集束させることができる。
【００１５】
幾つかの例では、平面回折レンズ１１２は、基板１１０の上に位置することができる。例えば、平面回折レンズ１１２は、基板１１０の上にパターニングされたレンズとすることができる。平面回折レンズ１１２は、リソグラフィによって基板１１０の上にパターニングすることができる。本明細書において用いられるとき、リソグラフィは、微細加工又はナノ加工においてウェハ（例えば、基板１１０）の上にパターンを形成するために堆積した材料を成形及び／又は変更するために使用されるプロセスとすることができる。ウェハは、フォトレジスト又は電子ビーム（ｅ−ビーム）レジスト等の化学物質でコーティングすることができ、その後、ウェハを、マスクを介して短波長光又は電子のビームに露光することができる。露光領域は、溶液によって洗浄することができる。別の例として、ナノインプリントリソグラフィを用いて、基板１１０の上に平面回折レンズ１１２をパターニングすることができる。本明細書において用いられるとき、ナノインプリントリソグラフィは、インプリントレジストの機械的変形によってパターンが生成されるプロセスとすることができる。
【００１６】
基板１１０上に平面回折レンズ１１２をパターニングすることは、基板１１０の上に軸方向位相プロファイル及び傾斜位相プロファイルをパターニングすることを含むことができる。例えば、平面回折レンズ１１２の位相プロファイルは、軸方向位相プロファイル及び傾斜位相プロファイルの組合せのバイナリ近似として軸方向位相プロファイル及び傾斜位相プロファイルを含むことができる。軸方向位相プロファイル及び傾斜位相プロファイルは、リソグラフィの単一ステップによって基板１１０の上にパターニングすることができる。すなわち、位相プロファイルは、基板１１０上における軸方向位相プロファイル及び傾斜位相プロファイルの単一パターン近似とすることができる。
【００１７】
平面回折レンズ１１２の位相プロファイルは、軸方向位相プロファイルと傾斜位相プロファイルとを組み合わせることによって定義することができる。例えば、軸方向位相プロファイル及び傾斜位相プロファイルに対して、正弦波格子を求めることができ、軸方向位相プロファイル及び傾斜位相プロファイルを加えることにより、平面回折レンズ１１２の位相プロファイルがもたらされる。
【００１８】
幾つかの例では、平面回折レンズ１１２の位相プロファイルは、反復数値最適化によって定義することができる。例えば、焦点面における位相は、自由パラメータとして使用することができ、目的関数は、対象波長に対して所望の位置（例えば、軸方向位置及び／又は傾斜位置）における最大集束強度として定義することができる。
【００１９】
幾つかの例では、平面回折レンズ１１２は離散的な空間ゾーンに分割することができる。例えば、１つの空間ゾーンは、軸方向位相プロファイルを含むことができ、他の空間ゾーンは、傾斜位相プロファイルを含むことができる。そして、平面回折レンズ１１２の位相プロファイルは、ラッピングされ、基板１１０における離散的なエッチング深さに対応する離散的な数の位相レベルによって近似される。
【００２０】
平面回折レンズ１１２を備えた基板１１０は、透明チップ１０４に隣接して位置することができる。例えば、本明細書において更に記載するように、基板１１０は、光源１０８からの光が、透明チップ１０４を通り、基板１１０を通り、最終的に平面回折レンズ１１２を通って伝播するように、位置することができる。
【００２１】
基板１１０は、光源（例えば、光源１０８）からの光が基板１１０を通って伝播することができるように透明な材料とすることができる。本明細書において更に記載するように、光源１０８の動作波長に従って、基板１１０を選択することができる。例えば、基板１１０は、ガラス、グレード（graded）溶融シリカ、石英又はフッ化カルシウムとすることができる。ガラス、グレード溶融シリカ、石英及びフッ化カルシウムは、紫外（ＵＶ）及び近赤外スペクトルにおける光の伝播をより容易に可能にするため、光に対する材料損失を低減させながら、光源１０８によって発生した光の基板１１０を通る伝播を可能にすることができる。
【００２２】
基板１１０は、ガラス、グレード溶融シリカ、石英又はフッ化カルシウムであるものとして記載するが、本開示の例はそのように限定されない。例えば、基板１１０は、光が基板１１０を通って伝播する際に光に対する著しい材料損失なしに、光源１０８によって発生する光の伝播を可能にする、任意の材料とすることができる。
【００２３】
図１には示さないが、幾つかの例では、平面回折レンズ１１２は、透明チップ１０４の上に直接位置することができる。例えば、平面回折レンズ１１２は、透明チップ１０４の上にパターニングされたレンズとすることができる。平面回折レンズ１１２は、リソグラフィによって透明チップ１０４の上にパターニングすることができる。透明回折レンズ１１２は、代替的に、基板の上にスピンされてパターニングされたｅ−ビーム、フォトレジスト又はインプリントレジストの層とすることができる。
【００２４】
図１には示さないが、幾つかの例では、検出器１１４は、基板１１０に隣接して位置することができ、平面回折レンズ１１２は、基板１１０と透明チップ１０４との間にかつそれらに隣接して位置することができる。例えば、平面回折レンズ１１２は透明チップ１０４に隣接することができ、基板１１０は、検出器１１４用の窓として作用することができる。
【００２５】
透明チップ１０４の上で平面回折レンズ１１２をパターニングすることは、リソグラフィによって透明チップ１０４の上に軸方向位相プロファイル及び傾斜位相プロファイルをパターニングすることを含むことができる。例えば、平面回折レンズ１１２の位相プロファイルは、軸方向位相プロファイル及び傾斜位相プロファイルの組合せのバイナリ近似として、軸方向位相プロファイル及び傾斜位相プロファイルを含むことができる。軸方向位相プロファイル及び傾斜位相プロファイルは、リソグラフィの単一ステップによって透明チップ１０４の上にパターニングすることができる。すなわち、位相プロファイルは、基板１１０上の軸方向位相プロファイル及び傾斜位相プロファイルの単一パターン近似とすることができる。
【００２６】
分光顕微鏡１００は、複数の粒子の間で粒子１０１のシグナルを励起する光源１０８を含むことができる。本明細書において用いられるとき、シグナルは、粒子（例えば、粒子１０１）が、光源（例えば、本明細書において更に記載するように、光源１０８）からの光（例えば、電磁放射線）を（例えば、光源１０８から）吸収し、励起される結果としての、粒子からの蛍光シグナル（例えば、放出される光）とすることができる。
【００２７】
光源１０８は、発光ダイオード（ＬＥＤ）とすることができる。本明細書において用いられるとき、ＬＥＤは、活性化されると光を放出する半導体光源とすることができる。例えば、光源１０８は、本明細書において更に記載するように、流路１０２内の粒子１０１に向けられる光を放出するＬＥＤとすることができる。ＬＥＤは、可視領域（例えば、４００ｎｍ〜７００ｎｍ）、紫外（ＵＶ）領域（例えば、１０ｎｍ〜４００ｎｍ）及び／又は赤外領域（例えば、１ｍｍ〜７００ｎｍ）にわたって動作することができる。
【００２８】
光源１０８は、レーザとすることができる。本明細書において用いられるとき、レーザは、電磁放射線の放出に基づいて光増幅を通して光を放出するデバイスであり得る。例えば、光源１０８は、本明細書において更に記載するように、流路１０２内の粒子１０１に向けられる光を放出するレーザとすることができる。レーザは、可視領域（例えば、４００ｎｍ〜７００ｎｍ）、紫外（ＵＶ）領域（例えば、１０ｎｍ〜４００ｎｍ）及び／又は赤外領域（例えば、１ｍｍ〜７００ｎｍ）にわたって動作することができる。
【００２９】
光源１０８は、検出器（例えば、検出器１１４）によって検出される粒子１０１の蛍光シグナルの蛍光励起を生成するのに十分強力な光強度を有することができる。例えば、光源１０８は、１００ミリワット（ｍＷ）の出力を有するＬＥＤとすることができる。別の例として、光源１０８は、１ｍＷの出力を有するレーザとすることができる。本明細書において用いられるとき、蛍光励起は、特定の波長で光を受け取り、その後、別の波長で光を放出する粒子を指すことができる。
【００３０】
光源１０８は、１００ｍＷの出力を有するＬＥＤ又は１ｍＷの出力を有するレーザとして記載するが、本開示の例はそのように限定されない。例えば、光源１０８は、それより高いか又は低い出力を有するＬＥＤ又はレーザとすることができる。明確にするためにかつ本開示の実施形態を不明瞭にしないように、図１には示さないが、光源１０８から発生する光は、外部レンズによって流路１０２に集束させることができる。
【００３１】
光源１０８に光強度は、複数の要素に応じて選択することができる。例えば、流路１０２内の流体のタイプ、粒子１０１のタイプ、平面回折レンズ１１２の効率、透明チップ１０４及び基板１１０の材料のタイプ、並びに検出器１１４の感度は、全て、光源１０８の光強度に影響を与える可能性がある。例えば、光源１０８の光強度は、ＬＥＤ光源の場合、粒子１０１が、蛍光色素が選択的に付着した赤血球である場合、１ｍＷである可能性があり、粒子１０１が、異なる蛍光色素が選択的に付着した赤血球である場合、２ｍＷである可能性があるが、本開示の例はそのように限定されない。本明細書において用いられるとき、蛍光色素は、光励起時に光を再放出することができる蛍光化学化合物とすることができ、蛍光色素は、マーカとして機能するように幾つかの粒子に付着することができる。
【００３２】
分光顕微鏡１００は検出器１１４を備えることができる。検出器１１４は、平面回折レンズ１１２の軸方向焦点から、光源１０８から発生する光を受け取り、平面回折レンズ１１２の傾斜焦点から粒子１０１の蛍光シグナルのスペクトル色成分を受け取ることができる。
【００３３】
検出器１１４は、軸方向位置１１６において平面回折レンズ１１２の軸方向焦点から、光源１０８から発生する光を受け取ることができる。例えば、平面回折レンズ１１２の軸方向位相プロファイルにより、光源１０８からの光は、検出器１１４の焦点面における軸方向位置１１６に、軸方向に集束させることができる。本明細書において更に記載するように、検出器１１４の軸方向位置１１６において受け取られる光を用いて粒子１０１を撮像することができる。
【００３４】
検出器１１４は、平面回折レンズ１１２の傾斜焦点から、粒子１０１の蛍光シグナルのスペクトル色成分を受け取ることができる。例えば、平面回折レンズ１１２の傾斜位相プロファイルにより、光源１０８からの光は、検出器１１４の焦点面の様々な傾斜位置１１８−１、１１８−２、１１８−３に傾斜して集束させることができる。図１には示さないが、平面回折レンズ１１２と検出器１１４の粒子１０１のスペクトル色成分を受け取る部分との間に、カラーフィルタを配置することができる。カラーフィルタは、粒子１０１の蛍光シグナルの検出を促進するように、光源１０８からの光を遮断するように選択することができる。
【００３５】
検出器１１４の傾斜位置１１８−１、１１８−２、１１８−３において受け取られる光を用いて、粒子１０１の蛍光シグナルの波長を検出することができる。検出器１１４は、光源１０８からの光のスペクトル色成分がいずれの傾斜位置１１８−１、１１８−２、１１８−３で受け取られるかを判断することにより、粒子１０１の蛍光シグナルの波長を求めることができる。
【００３６】
検出器１１４の傾斜位置１１８−１、１１８−２、１１８−３は、異なるスペクトル色成分に対応することができる。例えば、傾斜位置１１８−１は、第１のスペクトル色成分に対応することができ、傾斜位置１１８−２は、第２のスペクトル色成分に対応することができ、傾斜位置１１８−３は、第３のスペクトル色成分に対応することができる。
【００３７】
傾斜焦点のスペクトル色成分は、粒子１０１の励起された（例えば、蛍光）シグナルの波長に対応することができる。例えば、傾斜位置１１８−１に対応する第１のスペクトル色成分は、粒子１０１の蛍光シグナルに対応する波長に対応することができる。すなわち、粒子１０１は、或る特定の波長に対応する第１のスペクトル色成分の蛍光シグナルを有することができ、第１のスペクトル色成分は、検出器１１４において傾斜位置１１８−１で受け取られる。
【００３８】
別の例として、傾斜位置１１８−２に対応する第２のスペクトル色成分は、流路１０２内の複数の粒子の異なる粒子に対応する波長に対応することができる。すなわち、異なる粒子は、粒子１０１の波長とは異なる波長に対応する第２のスペクトル色成分の蛍光シグナルを有することができ、第２のスペクトル色成分は、検出器１１４において傾斜位置１１８−２で受け取られる。
【００３９】
別の例として、傾斜位置１１８−３に対応する第３のスペクトル色成分は、流路１０２内の複数の粒子の更に異なる粒子に対応する波長に対応することができる。すなわち、更に異なる粒子は、粒子１０１及び異なる粒子の波長とは異なる波長に対応する第３のスペクトル色成分の蛍光シグナルを有することができ、更に異なる粒子は、検出器１１４において傾斜位置１１８−３で受け取られる。
【００４０】
図１では、検出器１１４は、３つの傾斜位置１１８−１、１１８−２、１１８−３を有するものとして示すが、本開示の例はそのように限定されない。例えば、検出器１１４は、４つ以上の傾斜位置又は３つ未満の傾斜位置を有し、スペクトル分解能での多くのスペクトル成分の検出を可能にすることができる。
【００４１】
幾つかの例では、検出器１１４は、相補型金属酸化膜半導体（ＣＭＯＳ）センサとすることができる。本明細書において用いられるとき、ＣＭＯＳセンサは、情報を記憶する半導体チップとすることができる。例えば、ＣＭＯＳセンサを利用して、粒子１０１の蛍光シグナルの波長を求めることができる。
【００４２】
幾つかの例では、検出器１１４は電荷結合素子（ＣＣＤ）とすることができる。本明細書において用いられるとき、ＣＣＤは、光検出に使用するために電荷を移動させる素子であり得る。例えば、ＣＣＤを利用して、粒子１０１の蛍光シグナルの波長を求めることができる。
【００４３】
明確にするためにかつ本開示の例を不明瞭にしないように図１には示さないが、分光顕微鏡１００は、透明チップ１０４内に複数の流路を備えることができる。複数の流路の各々は流体を含むことができ、各流体は複数の粒子を含むことができるが、本開示の実施形態はそのように限定されない。例えば、複数の流路は、流体内に懸濁していない複数の粒子を含むことができる。複数の流路は、平行流路とすることができる。
【００４４】
幾つかの例では、複数の流路の各々は同じ流体を含むことができる。例えば、複数の流路の各々における流体、及び各それぞれの流体内の複数の粒子は同じである。
【００４５】
幾つかの例では、複数の流路の各々は異なる流体を含むことができる。例えば、１つの流路は、複数の第１の粒子を含む第１のタイプの流体を含むことができ、第２の流路は、複数の第２の粒子を含む第２のタイプの流体を含むことができる。
【００４６】
基板１１０は、複数の平面回折レンズを備えることができる。平面回折レンズの数は、流路の数に対応することができる。例えば、分光顕微鏡１００は、３つの流路及び３つの平面回折レンズを備えることができる。複数の平面回折レンズの各々は、軸方向焦点及び傾斜焦点を含むことができる。
【００４７】
複数の平面回折レンズの各々は、それぞれの位相プロファイルを含むことができる。すなわち、複数の平面回折レンズの各々は、レンズの軸方向焦点に対応する軸方向位相プロファイルと、レンズの傾斜焦点に対応する傾斜位相プロファイルとを含むことができる。
【００４８】
幾つかの例では、複数の平面回折レンズの各々は、同じ位相プロファイルを含むことができる。例えば、複数の流路の各々が、各それぞれの流体内に、同定される同じタイプの粒子を有する同じ流体を含む場合、複数の平面回折レンズの各々は、同じ位相プロファイルを有することができる。
【００４９】
複数の平面回折レンズのそれぞれの位相プロファイルの各々は、検出される粒子のタイプに基づいて決定することができる。例えば、１つの流路が、検出される複数の第１の粒子を有する第１のタイプの流体を含み、第２の流路が、検出される複数の第２の粒子を有する第２のタイプの流体を含み、複数の第１の粒子が複数の第２の粒子とは異なる場合、第１のタイプの流体を含む流路に対応する第１の平面回折レンズは、第２のタイプの流体を含む流路に対応する第２の平面回折レンズの位相プロファイルとは異なる位相プロファイルを有することができる。
【００５０】
光源は、複数の流路の流体の各々に含まれる複数の粒子の蛍光シグナルを励起する励起光を発生させることができる。例えば、光源（例えば、ＬＥＤ又はレーザ）は、２つの異なる流路内の２つの異なる流体の複数の粒子の蛍光シグナルを励起するように励起光を発生させることができる。別の例として、光源（例えば、ＬＥＤ又はレーザ）は、２つの異なる流路内の２つの流体の複数の粒子の蛍光シグナルを励起する励起光を発生させることができ、２つの流体は同じ流体である。本明細書において用いられるとき、励起光は、特定の粒子の蛍光シグナルを生成することができる波長で光源によって発生する光とすることができる。
【００５１】
幾つかの例では、２つ以上の光源が、複数の流路の流体の各々に含まれる複数の粒子の蛍光シグナルを励起する励起光を発生させることができる。例えば、２つの光源（例えば、２つのＬＥＤ又は２つのレーザ）が、２つの異なる流路内の２つの異なる流体の複数の粒子の蛍光シグナルを励起するように励起光を発生させることができ、各光源はそれぞれの流路に対応する。
【００５２】
幾つかの例では、２つの光源は異なる光強度を有することができる。例えば、第１のＬＥＤは１００ｍＷの光強度を有することができ、第２のＬＥＤは２５ｍＷの光強度を有することができる。
【００５３】
複数の検出器は、複数の流路及び複数の平面回折レンズに対応することができる。複数の検出器は、平面回折レンズの各々に対してそれぞれの軸方向焦点の各々から励起光の各それぞれを受け取ることができる。さらに、複数の検出器は、複数の平面回折レンズの各々のそれぞれの傾斜焦点の各々から、複数の粒子のそれぞれの蛍光シグナルの各々のスペクトル色成分を受け取ることができる。すなわち、各検出器は、各それぞれの平面回折レンズの各それぞれの軸方向焦点から励起光を受け取ることができる。さらに、各検出器は、各それぞれの平面回折レンズの各それぞれの傾斜焦点からスペクトル色成分を受け取ることができる。
【００５４】
幾つかの例では、検出器は、複数の流路及び複数の回折レンズに対応することができる。検出器は、平面回折レンズの各々に対して軸方向焦点の各々から励起光の各々を受け取ることができる。さらに、検出器は、複数の平面回折レンズの各々のそれぞれの傾斜焦点の各々から、複数の粒子のそれぞれの蛍光シグナルの各々のスペクトル色成分を受け取ることができる。すなわち、検出器は、各それぞれの平面回折レンズの各それぞれの軸方向焦点から励起光を受け取ることができる。さらに、検出器は、各それぞれの平面回折レンズの各それぞれの傾斜焦点からスペクトル色成分を受け取ることができる。
【００５５】
本明細書に記載するように、分光顕微鏡は、透明チップ内に流路を備えることができ、流路は複数の粒子を含む。光源は、複数の粒子の間の１つの粒子の蛍光シグナルを励起することができ、蛍光シグナルは、平面回折レンズを通して伝播する。検出器は、粒子を撮像するために、平面回折レンズの軸方向焦点から、光源から発生する光を受け取り、粒子の波長を識別するために、平面回折レンズの傾斜焦点からスペクトル色成分を受け取ることができる。本開示と整合する例は、分光顕微鏡のサイズ及びコストを低減させることができ、ポイントオブケア医療検査及び診断等の応用での使用を可能にする。さらに、本開示と整合する分光顕微鏡は、既存のマイクロ流体流路デバイスとの使用に対して容易に適合させかつ組み込むことができるが、本開示の実施形態はそのように限定されない。
【００５６】
図２は、本開示と整合する分光顕微鏡２３８の一例の図を示す。分光顕微鏡２３８は、透明チップ２０４、流路２０２、粒子２０１、基板２４２、平面反射レンズ２４４、光源２４０及び検出器２４６を備えることができる。検出器２４６は、軸方向位置２４７及び傾斜位置２４８−１、２４８−２、２４８−３を含むことができる。
【００５７】
図１に示す分光顕微鏡（例えば、分光顕微鏡１００）と同様に、分光顕微鏡２３８は、流路２０２を備える透明チップ２０４を備えることができる。透明チップ２０４は、本明細書において更に記載するように、光源（例えば、光源１０８）からの光が透明チップ２０４を通って伝播するのを可能にする透明材料とすることができる。例えば、透明チップ２０４は、溶融シリカとすることができる。別の例として、透明チップは、溶融石英又はガラスとすることができる。
【００５８】
図２に示すように、分光顕微鏡２３８は、平面反射レンズ２４４を備えた基板２４２を備えることができる。平面反射レンズは、部分反射レンズとすることができる。本明細書において用いられるとき、部分反射レンズは、光が部分的に透過され部分的に反射されるのを可能にするレンズとすることができる。平面反射レンズ２４４は、軸方向焦点及び傾斜焦点を含む位相プロファイルを含むことができる。平面反射レンズ２４４は、２つの焦点（例えば、軸方向焦点及び傾斜焦点）を有する高開口数反射レンズとすることができる。本明細書において更に記載するように、平面反射レンズ２４４の軸方向焦点は、励起を集束させるために使用することができ、平面反射レンズ２４４の傾斜焦点は、スペクトル検出に使用することができる。
【００５９】
図１に記載した例と同様に、平面反射レンズ２４４は、基板２４２の上に位置することができる。例えば、平面反射レンズ２４４は、基板２４２の上にパターニングされたレンズとすることができる。平面反射レンズ２４４は、平面反射レンズ２４４を生成するようにリソグラフィによって基板２４２の上にパターニングすることができる。
【００６０】
基板２４２は、光源（例えば、光源２４０）からの光が基板２４２を通って伝播することができるように透明な材料とすることができる。光源２４０の動作波長に従って、基板２４２を選択することができる。例えば、基板２４２は、ガラス、グレード溶融シリカ、石英又はフッ化カルシウムとすることができるが、本開示の例はそのように限定されない。
【００６１】
図１に記載した例と同様に、分光顕微鏡２３８は、複数の粒子の間の粒子２０１の蛍光シグナルを励起する光源２４０を備えることができる。粒子２０１は、蛍光シグナルと蛍光シグナルに対応する波長とを含むことができる。光源２４０は、ＬＥＤ又はレーザとすることができる。
【００６２】
分光顕微鏡２３８は、検出器２４６を備えることができる。検出器２４６は、平面反射レンズ２４４の軸方向焦点から、光源２４０から発生する光を受け取ることができ、粒子２０１の蛍光シグナルのスペクトル色成分は、平面反射レンズ２４４の傾斜焦点から反射することができる。図２に示すように、検出器２４６は、透明チップ２０４の一部であり、流路２０２に隣接して位置することができる。
【００６３】
検出器２４６は、軸方向位置２４７において平面反射レンズ２４４の軸方向焦点から、光源２４０から発生する光を受け取ることができる。例えば、平面反射レンズ２４４の軸方向位相プロファイルにより、光源２４０からの光は、検出器２４６の焦点面における軸方向位置２４７に、軸方向に集束させることができる。検出器２４６の軸方向位置２４７において受け取られる光を用いて粒子２０１を撮像することができる。
【００６４】
粒子２０１からの蛍光シグナルは、検出器２４６において傾斜位置２４８−１、２４８−２、２４８−３で受け取ることができる。例えば、光源２４０によって発生する光は、基板２４２を通り、透明チップ２０４を通り、粒子２０１を通って伝播し、平面反射レンズ２４４の軸方向位相プロファイルによって収集される蛍光シグナルを励起することができ、平面回折レンズの軸方向位相プロファイルは、検出器２４６において軸方向位置２４７に光を向ける（例えば、反射する）。
【００６５】
検出器２４６の傾斜位置２４８−１、２４８−２、２４８−３において受け取られる光を用いて、粒子２０１の蛍光シグナルの波長を検出することができる。検出器２４６は、光源２４０からの光がいずれの傾斜位置２４８−１、２４８−２、２４８−３で受け取られるかを判断することにより、粒子２０１の蛍光シグナルの波長を求めることができる。検出器２４６の傾斜位置２４８−１、２４８−２、２４８−３は、異なるスペクトル色成分に対応することができる。例えば、傾斜位置２４８−１は、第１のスペクトル色成分に対応することができ、傾斜位置２４８−２は、第２のスペクトル色成分に対応することができ、傾斜位置２４８−３は、第３のスペクトル色成分に対応することができる。
【００６６】
スペクトル色成分は、平面反射レンズ２４４の傾斜位相プロファイルから、検出器２４６において傾斜位置２４８−１、２４８−２、２４８−３で受け取ることができる。例えば、光源２４０によって発生する光は、基板２４２を通って伝播し、粒子２０１の蛍光シグナルを励起し、透明チップ２０４から平面反射レンズ２４４の傾斜位相プロファイルに反射することができる。平面反射レンズ２４４の傾斜位相プロファイルは、検出器２４６においてそれぞれの傾斜位置２４８−１、２４８−２、２４８−３にスペクトル色成分を向ける（例えば、反射する）。
【００６７】
図３は、本開示と整合する分光顕微鏡（例えば、図１及び図２にそれぞれ関連して記載した分光顕微鏡１００、２３８）の方法３２０例のフローチャートを示す。例えば、方法３２０は、検出器（例えば、図１及び図２にそれぞれ関連して記載した検出器１１４、２４７）によって、複数の蛍光シグナルの波長を求めるように行うことができる。
【００６８】
３２２に示すように、方法３２０は、光源（例えば、図１及び図２にそれぞれ関連して記載した光源１０８、２４０）によって、流体の複数の粒子の複数の蛍光シグナルを励起するように励起光を発生させることを含むことができ、流体は、流路（例えば、図１及び図２にそれぞれ関連して記載した流路１０２、２０２）内に位置する。励起光は、検出器によって検出することができる複数の粒子の蛍光シグナルの蛍光励起を発生させるために十分な光出力で発生させることができる。
【００６９】
幾つかの例では、励起光は、光源から、透明チップ（例えば、図１に関連して記載した透明チップ１０４）を通り、複数の粒子を有する流体を含む流路を更に通って伝播することができる。励起光は、流路内の流体の複数の粒子の間の１つの粒子（例えば、図１に関連して上述した粒子１０１）を照明することができる。そして、励起光は、透明チップ（例えば、図１に関連して上述した透明チップ１０４）を通り、平面回折レンズ（例えば、図１に関連して上述した平面回折レンズ１１２）を通って伝播することができる。
【００７０】
幾つかの例では、励起光は、基板（例えば、図２に関連して記載した基板２４２）を通り、透明チップ（図２に関連して記載した透明チップ２０４）を更に通り、複数の粒子を有する流体を含む流路を更に通って伝播することができる。励起光は、流路内の流体の複数の粒子の間の１つの粒子（例えば、図２に関連して記載した粒子２０１）を照明することができる。励起光は、この場合もまた、平面反射レンズから反射される。
【００７１】
３２４に示すように、方法３２０は、検出器において、平面回折レンズの軸方向焦点から励起光を受け取ることを含むことができる。例えば、平面回折レンズを通って伝播した後、励起光は、検出器において、軸方向位置（例えば、図１及び図２にそれぞれ関連して記載した軸方向位置１１６、２４７）で受け取ることができる。
【００７２】
励起光は、検出器において、平面回折レンズ又は平面反射レンズの軸方向位相プロファイルから軸方向位置で受け取ることができる。例えば、励起光は、平面回折レンズの軸方向位相プロファイルを通って伝播するか、又は平面反射レンズから反射することができ、平面回折レンズ又は平面反射レンズの軸方向位相プロファイルは、励起光を検出器の軸方向位置に向ける。
【００７３】
平面回折レンズ又は平面反射レンズの軸方向焦点から受け取られる励起光は、粒子を撮像するために用いることができる。例えば、粒子を撮像することは、粒子のサイズ及び／又は形状を求めることを含むことができる。粒子のサイズ及び／又は形状は、分光顕微鏡を用いて行われる診断測定に対して有用である可能性がある。
【００７４】
粒子を撮像することは、粒子のサイズ及び／又は形状を求めることとして記載するが、本開示の例はそのように限定されない。例えば、粒子を撮像することは、粒子の他の物理的特徴を求めることを含むことができる。
【００７５】
３２６に示すように、方法３２０は、検出器において、平面回折レンズ又は平面反射レンズの傾斜焦点から、検出器の複数の位置で複数の蛍光シグナルの複数のスペクトル色成分を受け取ることを含むことができる。例えば、平面回折レンズを通って伝播するか又は平面反射レンズから反射した後、複数の粒子の間の１つの粒子の蛍光シグナルのスペクトル色成分は、検出器において、傾斜位置（例えば、図１及び図２にそれぞれ関連して記載した傾斜位置１１８−１、１１８−２、１１８−３、２４８−１、２４８−２、２４８−３）で受け取ることができる。
【００７６】
スペクトル色成分は、検出器において、平面回折レンズ又は平面反射レンズの傾斜位相プロファイルから傾斜位置で受け取ることができる。例えば、励起光は、粒子の蛍光シグナルを照明した（例えば、励起した）後、平面回折レンズの傾斜位相プロファイルを通って伝播するか、又は平面反射レンズの傾斜位相プロファイルから反射することができる。平面回折レンズ又は平面反射レンズの傾斜位相プロファイルは、スペクトル色成分を検出器の傾斜位置に向ける。
【００７７】
検出器において複数のスペクトル色成分を受け取ることは、検出器の異なる位置で複数のスペクトル色成分の異なるスペクトル色成分を受け取ることを含むことができる。異なる粒子は、一意のスペクトル色成分に対応することができる異なる蛍光シグナルを有することができる。例えば、第１のスペクトル色成分を有する第１の粒子は、第２のスペクトル色成分を有する第２の粒子とは異なる蛍光シグナルを有することができる。第１の粒子の第１のスペクトル色成分は、検出器において第１の傾斜位置で受け取られ、第２の粒子の第２のスペクトル色成分は、検出器において第２の傾斜位置で受け取られ、検出器における第１の傾斜位置は、検出器における第２の傾斜位置とは異なる。
【００７８】
検出器における異なる位置は、複数の蛍光シグナルの異なる波長に対応することができる。例えば、第１の傾斜位置で受け取られる第１の粒子の第１のスペクトル色成分は、６３５ナノメートル（ｎｍ）の波長に対応することができる。第２の傾斜位置で受け取られる第２の粒子の第２のスペクトル色成分は、６４５ｎｍの波長に対応することができる。
【００７９】
検出器の第１の傾斜位置と検出器の第２の傾斜位置とは、それぞれ６３５ｎｍ及び６４５ｎｍの波長に対応するものとして記載するが、本開示の例はそのように限定されない。例えば、検出器の異なる位置は、他の任意の波長に対応することができる。
【００８０】
３２８に示すように、方法３２０は、検出器により、複数の蛍光シグナルの波長を求めることを含むことができる。複数の蛍光シグナルの波長は、平面回折レンズ又は平面反射レンズの軸方向焦点から受け取られる励起光と、複数のスペクトル色成分の各々が平面回折レンズ又は平面反射レンズの傾斜焦点から受け取られる検出器のそれぞれの位置とを用いて求めることができる。
【００８１】
粒子の蛍光シグナルの波長は、粒子の蛍光シグナルのスペクトル色成分が検出器において受け取られる位置を判断することによって求めることができる。例えば、粒子のスペクトル色成分が、黄色のスペクトル色成分に対応する検出器の傾斜位置で受け取られ、黄色のスペクトル色成分に対応する検出器の傾斜位置が、６３５ｎｍの波長に対応する場合、検出器は、粒子の蛍光シグナルの波長が６３５ｎｍであると判断することができる。別の例として、粒子のスペクトル色成分が、青色のスペクトル色成分に対応する検出器の傾斜位置で受け取られ、青色のスペクトル色成分に対応する検出器の傾斜位置が６４５ｎｍの波長に対応する場合、検出器は、粒子の蛍光シグナルの波長が６４５ｎｍであると判断することができる。
【００８２】
幾つかの例では、検出器は、平面回折レンズ又は平面反射レンズの軸方向焦点から受け取られる励起光を利用して、粒子の位置の横方向シフトを補正することができる。例えば、マイクロ流体流路の中心に対して横方向シフトを有する粒子からのスペクトル光は、予期されない検出器の傾斜位置で受け取られる可能性がある。検出器は、軸方向焦点からの励起光を利用して、スペクトル色成分のシフトを補正することができる。
【００８３】
流体が流路を通って流れる際に、複数の粒子の複数の蛍光シグナルの波長を求めることができる。例えば、光源からの励起光が複数の粒子の蛍光シグナルを励起している間、複数の粒子を含む流体は流路を通って流れることができる。
【００８４】
検出器が透明チップを通過して移動する際、複数の粒子の複数の蛍光シグナルの波長を求めることができる。例えば、検出器及び光源が透明チップを通過して移動して、光源からの励起光が複数の粒子の蛍光シグナルを励起する間、透明チップを固定することができる。
【００８５】
本明細書に記載するように、方法は、複数の粒子の複数の蛍光シグナルを励起するように、光源によって励起光を発生させることを含むことができる。検出器は、平面回折レンズ又は平面反射レンズの軸方向焦点から励起光を受け取り、平面回折レンズ又は平面反射レンズの傾斜焦点から複数の蛍光シグナルの複数のスペクトル色成分を受け取ることができる。検出器は、平面回折レンズ又は平面反射レンズの軸方向焦点から受け取られる励起光と、複数のスペクトル色成分の各々が平面回折レンズ又は平面反射レンズの傾斜焦点から受け取られる検出器のそれぞれの位置とに基づいて、複数の蛍光シグナルの波長を更に求めることができる。この方法を利用することにより、小型の分光顕微鏡において統合された構成要素を用いて、複雑な及び／又は精密なアライメント構成を有する大型の光学部品を備えたシステムを不要として、粒子の撮像及び検出を可能にすることができる。
【００８６】
図４は、本開示と整合する分光顕微鏡（例えば、図１及び図２にそれぞれ関連して記載した分光顕微鏡１００、２３８）に対する検出器４３１（例えば、図１及び図２にそれぞれ関連して記載した検出器１１４、２４７）の一例の図を示す。検出器４３１は、メモリリソース４３２及び処理リソース４３６を含むことができる。
【００８７】
検出器４３１は、図１〜図３に関連して記載した要素を実行するために、ハードウェア、非一時的機械可読媒体上の機械可読命令、又はそれらの組合せを含むことができる。
【００８８】
ハードウェアは、例えば、処理リソース４３６及び／又はメモリリソース４３２（例えば、コンピュータ可読媒体（ＣＲＭ）、機械可読媒体（ＭＲＭ）、データベース等）を含むことができる。本明細書において用いられるとき、処理リソース４３６は、メモリリソース４３２によって記憶された命令を実行することができる任意の数のプロセッサを含むことができる。処理リソース４３６は、単一のデバイスに実装するか又は複数のデバイスにわたって分散させることができる。機械可読命令（例えば、コンピュータ可読命令（ＣＲＩ））は、メモリリソース４３２に記憶され、かつ処理リソース４３６によって所望の要素（例えば、平面レンズの軸方向焦点から受け取られた励起光と、複数のスペクトル色成分の各々が平面レンズの傾斜焦点から受け取られる検出器４３１におけるそれぞれの位置とに基づいて、複数の蛍光シグナルの波長を求める検出器４３１等）を実施するために実行可能な、命令を含むことができる。
【００８９】
メモリリソース４３２は、処理リソース４３６と通信することができる。本明細書において用いられるとき、メモリリソース４３２は、処理リソース４３６によって実行することができる命令を記憶することができる任意の数のメモリコンポーネントを含むことができる。こうしたメモリリソース４３２は、非一時的ＣＲＭ又はＭＲＭとすることができる。メモリリソース４３２は、単一デバイスに組み込むか又は複数のデバイスにわたって分散させることができる。さらに、メモリリソース４３２は、処理リソース４３６と同じデバイスに完全に若しくは部分的に組み込むことができるか、又は、別個であるが、それらのデバイス及び処理リソース４３６がアクセス可能とすることができる。したがって、検出器４３１は、参加者デバイスで、サーバデバイスで、サーバデバイスの集まりで、及び／又は参加者デバイス及びサーバデバイスの組合せで実装することができることが留意される。
【００９０】
メモリリソース４３２は、通信リンク（例えば、経路）４３４を介して処理リソース４３６と通信することができる。通信リンク４３４は、処理リソース４３６に関連する機械（例えば、検出器４３１）に対してローカル又はリモートとすることができる。ローカル通信リンク４３４の例としては、機械（例えば、検出器）の内部の電子バスを挙げることができ、そこでは、メモリリソース４３２は、電子バスを介して処理リソース４３６と通信する、揮発性、不揮発性、固定及び／又は取外し可能な記憶媒体のうちの１つである。
【００９１】
本明細書において用いられるとき、「ロジック」は、本明細書に記載した特定の動作及び／又は要素を実行する代替的な又は追加の処理リソースである。ロジックは、ハードウェアを含むことができる。ハードウェアは、機械可読媒体上の機械可読命令とは別個である、回路等の処理リソースを含むことができる。さらに、本明細書において用いられるとき、「１つの（a）」又は「複数の」何かは、１つ以上のそうしたものを指すことができる。例えば、「複数のウィジェット」は、１つ以上のウィジェットを指すことができる。
【００９２】
上記明細書、例及びデータは、本開示の方法及び応用、並びにシステム及び方法の使用の説明を提供する。本開示のシステム及び方法の趣旨及び範囲から逸脱することなく多くの例を作成することができるため、本明細書は、単に、多くのあり得る例示的な構成及び実施態様のうちの幾つかを示すにすぎない。
【図１】
0006603403.tif 000002
【図２】
0006603403.tif 000003
【図３】
0006603403.tif 000004
【図４】
0006603403.tif 000005